(57)【要約】【課題】  従来の無線接続型冷蔵庫では、冷蔵庫上面に無線通信手段があって箱などの荷物を置く事が困難であり、更に電波伝播に影響を与える金属物体を置く事は全く想定されていない。【解決手段】  本体上面に設けた無線通信を行なう無線通信手段２と、無線通信手段２を可倒させる可倒手段３、４とを備え、無線通信手段２を可倒手段３、４により直立させることにより、本体上面に占める無線通手段の底面積を減少させるようにしたものである。【選択図】  図１
2005076992.tif 000002
【特許請求の範囲】
【請求項１】
本体上面に設けた無線通信を行なう無線通信手段と、前記無線通信手段を可倒させる可倒手段とを備え、前記無線通信手段を前記可倒手段により直立させることにより、本体上面に占める無線通手段の底面積を減少させることにより、本体上面の可戴可能な面積を増加することを特徴とした無線通信手段を備えた無線接続型冷蔵庫。
【請求項２】
無線通信手段を所定の角度で固定する固定手段を設け、前記無線通信手段の通信状況に応じて無線通信手段を固定する機能を有した請求項１記載の無線接続型冷蔵庫。
【請求項３】
本体上面に設けた無線通信を行なう無線通信手段と、前記無線通信手段を水平方向に回転させる回転手段とを備え、前記無線通信手段を前記回転手段により回転させることにより、本体上面に占める無線通手段の位置を変更し、本体上面の可戴可能な面積の形状を変化させることを特徴とした無線通信手段を備えた請求項２記載の無線接続型冷蔵庫。
【請求項４】
無線通信手段内に備えられた無線放射手段から放射される電波が、前記無線通信手段に隣接する金属などから受ける電波伝播に及ぼす影響を考慮し、前記無線放射手段と前記無線通信手段との距離を電波伝播に影響を及ぼさない寸法、概ね１６分の１波長以上に設定した無線通信手段を備えた請求項1〜３記載の無線接続型冷蔵庫。
【発明の詳細な説明】
【技術分野】
【０００１】
本発明は、無線通信手段を備え、ネットワークに接続可能な冷蔵庫に関するものである。
【背景技術】
【０００２】
従来より冷蔵庫に通信手段を付加してネットワークに接続して情報を通知する、いわゆる無線接続型の冷蔵庫が開発されている。例えば、冷蔵庫上面に最大高さを抑える形に無線通信手段を設置したものである（特許文献１参照）。
【特許文献１】特開２００２−２６７３１１号公報
【発明の開示】
【発明が解決しようとする課題】
【０００３】
しかしながら、前記従来の無線接続型冷蔵庫では、冷蔵庫上面に箱などの荷物を置く事が困難であり、更に電波伝播に影響を与える金属物体を置く事は全く想定されていない。
【０００４】
本発明は、前記従来の課題を解決するもので、冷蔵庫上面に荷物などを置く事を考慮した無線接続型冷蔵庫を提供することを目的としている。
【課題を解決するための手段】
【０００５】
前記従来の課題を解決するために、本発明の無線接続型冷蔵庫は、本体上面に設けた無線通信を行なう無線通信手段と、前記無線通信手段を可倒させる可倒手段とを備え、前記無線通信手段を前記可倒手段により直立させることにより、本体上面に占める無線通手段の底面積を減少させるようにしたものである。
【０００６】
これによって、本体上面の可戴可能な面積を増加することができる。
【０００７】
また本発明の無線接続型冷蔵庫は、無線通信手段の寸法を隣接する金属などの影響を受けない寸法に設定した無線通信手段を備える。
【０００８】
これによって、本体上面に金属物体を置く事が可能となる。
【発明の効果】
【０００９】
本発明の無線接続型冷蔵庫は、無線通信への影響を小さくして本体上面に物を置く事ができる。
【発明を実施するための最良の形態】
【００１０】
第１の発明は、 本体上面に設けた無線通信を行なう無線通信手段と、前記無線通信手段を可倒させる可倒手段とを備え、前記無線通信手段を前記可倒手段により直立させることにより、本体上面に占める無線通手段の底面積を減少させることにより、本体上面の可戴可能な面積を増加することができる。
【００１１】
この構成によれば、運搬時には高さを低く抑え、設置後には無線通信手段を直立させる事により冷蔵庫上面に物品を置く事ができる。
【００１２】
第２の発明は、前記無線通信手段を所定の角度で固定する固定手段を設け、前記無線通信手段の通信状況に応じて、たとえば通信状況が劣悪な場合には、通信状況の最良点となる角度に無線通信手段を固定することができる。
【００１３】
この構成によれば、家庭内で設置場所、設置方向に自由度の少ない冷蔵庫の設置において、設置方向、設置場所に関わらずに最良の電波伝播状態を得る事ができる。
【００１４】
第３の発明は、本体上面に設けた無線通信を行なう無線通信手段と、前記無線通信手段を水平方向に回転させる回転手段とを備え、前記無線通信手段を前記回転手段により回転させることにより、本体上面に占める無線通手段の位置を変更し、本体上面の可戴可能な面積の形状を変化させることができる。
【００１５】
この構成によれば、冷蔵庫上面の無線通信手段を奥方向や左右方向に配置する事ができ、冷蔵庫上面に置く物品の形状に対する制約を軽減することができる。
【００１６】
第４の発明は、前記無線通信手段に電波伝播に影響を及ぼす金属などが隣接または密着する事を考慮し、前記無線通信手段の寸法を周囲の影響を受けない寸法、概ね１６分の１波長以上に設定した無線通信手段を備えている。
【００１７】
この構成によれば、冷蔵庫上面の無線通信手段に金属などの物品を隣接、密着させることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における無線接続型冷蔵庫の斜視図を示すものである。図１において、無線通信手段を内蔵した無線通信ユニット２は、両端に可倒ヒンジ部３，４を設け、運搬時には本体１の最大高さを抑えるように無線通信ユニット２を倒し、本体１設置時には、本体１上面の可戴領域の面積を広くするために、無線通信ユニット２を所定の角度に倒立させることができる。可倒ヒンジ部３、４は所定の角度に固定可能なラッチ機能を有してもよい。
【００２０】
強度が許すならば可倒ヒンジ部３，４を無線通信ユニット２の片側のみに設置してもよい。
【００２１】
（実施の形態２）
図２は、本発明の第２の実施の形態における無線接続型冷蔵庫の斜視図を示すものである。図２において、無線通信手段を内蔵した無線通信ユニット２は、片端に回転ヒンジ部５を設け、本体１設置時には、本体１上面の可戴領域の形状を変化させることができる。回転ヒンジ部５は所定の角度に固定可能なラッチ機能を有してもよい。
【００２２】
（実施の形態３）
図３は、本発明の第３の実施の形態における無線接続型冷蔵庫の斜視図を示すものである。図３において、無線通信手段を内蔵した無線通信ユニット２は、片端に自在ヒンジ部５を設け、運搬時には本体１の最大高さを抑えるように無線通信ユニット２を倒し、本体１設置時には、本体１上面の可戴領域の面積と形状変化させるために、無線通信ユニット２を所定の角度、位置に固定させることができる。自在ヒンジ部６は所定の角度、位置に固定可能なラッチ機能を有してもよい。
【００２３】
（実施の形態４）
図４は、本発明の第4の実施の形態における無線接続型冷蔵庫の無線通信ユニット２の透視図を示すものである。図４において、無線通信ユニット２の内部に設けられた空中線７と無線通信ユニット２の外形との最小間隔ｄは通信に使用される周波数の１６分の１波長以上に設定されている。
【産業上の利用可能性】
【００２４】
以上のように、本発明にかかる無線接続型冷蔵庫は、無線通信手段の設置形態の自由度を大きくする事により、無線通信手段を備えた事による従来の冷蔵庫との使い勝手の差異を最小限にするものである。今後開発されるネットワーク家電等の用途にも適用できる。
【図面の簡単な説明】
【００２５】
【図１】本発明の実施の形態１の斜視図
【図２】本発明の実施の形態２の斜視図
【図３】本発明の実施の形態３の斜視図
【図４】本発明の実施の形態４の無線ユニット２の透視図
【符号の説明】
【００２６】
１  本体
２  無線通信ユニット（無線通信手段）
３、４  可倒ヒンジ部（可倒手段）
５  回転ヒンジ部（回転手段、固定手段）
６  自在ヒンジ部（回転手段）
７  空中線（無線放射手段）
【図１】
2005076992.tif 000003
【図２】
2005076992.tif 000004
【図３】
2005076992.tif 000005
【図４】
2005076992.tif 000006